(57)【要約】【課題】ジョブの入力に際してジョブの所要時間を知りたいユーザにとって従来よりも使い勝手の良い画像処理装置を提供する。【解決手段】原稿の画像をデータ化して送信するジョブを行う画像処理装置１は、ユーザが送信先を指定するための画面４Ａを表示するディスプレイ１１ａと、画像のデータ化の設定値が互いに異なる複数の条件それぞれでジョブを行うのに掛かる予測時間ＴＪを算出する算出手段１０６と、複数の条件それぞれの算出された予測時間ＴＪをディスプレイ１１ａに表示させる表示制御手段１０３と、複数の条件のうちの選択された条件でジョブを行うよう制御するジョブ実行制御手段１０４と、を有する。【選択図】図３
2019114885.tif 000002
【特許請求の範囲】
【請求項１】
原稿の画像をデータ化して送信するジョブを行う画像処理装置であって、
ユーザが送信先を指定するための画面を表示するディスプレイと、
前記画像のデータ化の設定値が互いに異なる複数の条件それぞれで前記ジョブを行うのに掛かる予測時間を算出する算出手段と、
前記複数の条件それぞれについて算出された前記予測時間を前記ディスプレイに表示させる表示制御手段と、
前記複数の条件のうちの選択された条件で前記ジョブを行うよう制御するジョブ実行制御手段と、を有する、
ことを特徴とする画像処理装置。
【請求項２】
前記表示制御手段は、前記複数の条件それぞれの前記予測時間を、当該複数の条件のうちのいずれかを選択するための選択肢として同じ画面で表示させる、
請求項１記載の画像処理装置。
【請求項３】
前記複数の条件は、第１の条件、前記第１の条件よりも前記ジョブを行うのに必要な時間が長い第２の条件、および前記第２の条件よりも前記ジョブを行うのに必要な時間が長い第３の条件の３つの条件を含んでおり、
前記表示制御手段は、前記複数の条件のうちの前記３つの条件それぞれの前記予測時間を、当該３つの条件のうちのいずれかを選択するための選択肢として同じ画面で表示させる、
請求項１記載の画像処理装置。
【請求項４】
前記表示制御手段は、算出された複数の前記予測時間と、前記複数の条件のうちの選択された予測時間に対応する条件とを同じ画面で表示させる、
請求項２または３記載の画像処理装置。
【請求項５】
前記表示制御手段は、前記選択された予測時間に対応する前記条件を、それの変更を指示するための操作ボタンとして表示させる、
請求項４記載の画像処理装置。
【請求項６】
前記算出手段は、指定された前記送信先が第１のグループに属する場合において、前記複数の条件としていずれも暗号化を行う条件を選定し、指定された前記送信先が前記第１のグループではない第２のグループに属する場合において、前記複数の条件としていずれも暗号化を行わない条件を選定する、
請求項１ないし５のいずれかに記載の画像処理装置。
【請求項７】
前記算出手段は、指定された前記送信先が前記第１のグループまたは前記第２のグループに属し、かつ、第３のグループに属する場合において、前記複数の条件としてカラーの読取りを行う条件を選定する、
請求項６記載の画像処理装置。
【請求項８】
前記原稿の個数を検知する検知部を有し、
前記算出手段は、検知された前記個数を変数として含む算出式を用いて前記予測時間を算出する、
請求項１ないし５のいずれかに記載の画像処理装置。
【請求項９】
複数の前記送信先が指定された場合において、前記表示制御手段は、当該送信先ごとに前記予測時間を表示させる、
請求項１ないし８のいずれかに記載の画像処理装置。
【請求項１０】
原稿の画像をデータ化して送信するジョブを行う画像処理装置に用いられるコンピュータプログラムであって、
前記画像処理装置に、
前記画像のデータ化の設定値が互いに異なる複数の条件それぞれで前記ジョブを行うのに掛かる予測時間を算出する処理を実行させ、
前記複数の条件それぞれの算出された前記予測時間をディスプレイに表示させる処理を実行させ、
前記複数の条件のうちの選択された条件で前記ジョブを行わせる処理を実行させる、
ことを特徴とするコンピュータプログラム。
【発明の詳細な説明】
【技術分野】
【０００１】
本発明は、画像処理装置およびコンピュータプログラムに関する。
【背景技術】
【０００２】
イメージリーダ、ファクシミリ機、およびこれらの機能を集約したたＭＦＰ（Multi-functional Peripheral ：多機能機または複合機）などの画像処理装置は、紙文書などのいわゆる原稿に記録されている画像をデータ化して外部の装置に送信するジョブを行うことができる。
【０００３】
この種の画像処理装置のユーザは、画像処理装置に原稿をセットするとともに、送信先を指定してジョブを入力する操作を行う。その際に、ユーザは、ジョブの条件として、送信先の他に幾つかの条件を指定することができる。例えば、データ化における解像度を指定することができる。
【０００４】
ジョブを入力する際の煩雑な操作をなくすための先行技術として、特許文献１に記載の技術がある。特許文献１には、送信先の選択に応じて、送信先に対する複数のスキャン設定（複数の項目について定めた設定値の集まり）を選択可能に表示することが開示されている。
【０００５】
なお、特許文献２には、ネットワークスキャンにおいて総合的に最適な生産性を使用者に提供するために、原稿読取りモードを温度に応じて切り替える制御を行う技術が開示されている。
【先行技術文献】
【特許文献】
【０００６】
【特許文献１】特開２０１３−１５３５３６号公報
【特許文献２】特開２００３−０２３５２６号公報
【発明の概要】
【発明が解決しようとする課題】
【０００７】
ユーザは、できるだけ早く原稿の画像データを送信するジョブを完了させたい場合がある。例えば、顧客または上司から至急の送信が要求された場合、または出張に出掛ける直前に出張先での会議に必要なドキュメントを自己の携帯型コンピュータに記憶させたい場合などがある。
【０００８】
しかし、ユーザがより早くジョブを完了させる上でどのような条件を指定すればよいかが分からず、操作に迷って無駄に時間を費やすことがある、という問題があった。
【０００９】
また、ユーザは、急いではいないが、ジョブが完了したことをより早く知りたい、という場合が考えられる。例えば、画像データが送信相手に届き次第、画像データを用いて相手方と打合せをしたい場合がある。ジョブが完了したことは、ジョブの履歴を表示させて確認することができる。しかし、ユーザが予想した時間よりもジョブの所要時間が長いときがある。このとき、ジョブが完了するまでの間にユーザが何度も無駄に履歴を確認してしまうおそれがある。
【００１０】
本発明は、上述の問題に鑑みてなされたもので、ジョブの入力に際してジョブの所要時間を知りたいユーザにとって従来よりも使い勝手の良い画像処理装置を提供することを目的とする。
【課題を解決するための手段】
【００１１】
本発明の実施形態に係る画像処理装置は、原稿の画像をデータ化して送信するジョブを行う画像処理装置であって、ユーザが送信先を指定するための画面を表示するディスプレイと、前記画像のデータ化の設定値が互いに異なる複数の条件それぞれで前記ジョブを行うのに掛かる予測時間を算出する算出手段と、前記複数の条件それぞれについて算出された前記予測時間を前記ディスプレイに表示させる表示制御手段と、前記複数の条件のうちの選択された条件で前記ジョブを行うよう制御するジョブ実行制御手段と、を有する。
【発明の効果】
【００１２】
本発明によると、ジョブの入力に際してジョブの所要時間を知りたいユーザにとって従来よりも使い勝手の良い画像処理装置を実現することができる。
【図面の簡単な説明】
【００１３】
【図１】本発明の一実施形態に係る画像処理装置の外観の例を示す図である。
【図２】画像処理装置のハードウェア構成の概略を示す図である。
【図３】画像処理装置の機能的構成の例を示す図である。
【図４】宛先入力画面の例を示す図である。
【図５】宛先登録テーブルの例を示す図である。
【図６】宛先区分テーブルの例を示す図である。
【図７】条件テーブルの例を示す図である。
【図８】条件選択画面の例を示す図である。
【図９】単位所要時間テーブルの例を示す図である。
【図１０】条件選択画面の例を示す図である。
【図１１】条件選択画面の例を示す図である。
【図１２】条件選択画面の例を示す図である。
【図１３】画像処理装置における処理の流れを示す図である。
【図１４】条件制限処理の流れを示す図である。
【図１５】条件表示処理の流れを示す図である。
【図１６】条件変更処理の流れを示す図である。
【発明を実施するための形態】
【００１４】
図１には本発明の一実施形態に係る画像処理装置１の外観の例が、図２には画像処理装置１のハードウェア構成の概略が、それぞれ示されている。
【００１５】
画像処理装置１は、コピー機、イメージリーダ、ファクシミリ機などの機能を集約したＭＦＰ（Multi-functional Peripheral ：多機能機または複合機）である。図１に示すように、画像形成装置１は、操作パネル１１、自動原稿送り装置（ＡＤＦ：Auto Document Feeder）１２、フラットベッド型のスキャナ１３、プリンタ部１４、および給紙部１５を備えている。さらに、図２に示すように、主制御部１０、画像処理部１６、ファクシミリインタフェース１７、ネットワークインタフェース１８、および補助記憶装置１９などを備えている。
【００１６】
画像処理装置１は、通信回線３を介して外部の装置と通信することができる。通信回線３として、インターネット、イーサネット（登録商標）回線、無線ＬＡＮ（Local Area Network）回線、公衆回線、または専用線などが用いられる。
【００１７】
操作パネル１１は、ユーザによる操作のための画面を表示するタッチパネルディスプレイ１１ａと、スタートキー４１およびスキャンキー４４などのハードキーが配置されたキー入力部１１ｂとを有し、入力操作に応じた信号を出力する。特に、タッチパネルディスプレイ１１ａは、表示面内のタッチされた位置を示す信号を出力する。操作パネル１１から出力される信号に応じて、主制御部１０により、画像処理装置１の動作が制御される。
【００１８】
自動原稿送り装置１２は、原稿トレイ１２ａにセットされたシート状の原稿２をスキャナ１３の流し読取り位置へ搬送する。さらに搬送を続けて排紙トレイ１２ｂに原稿２を排出する。原稿２が複数枚である場合は、原稿トレイ１２ａから１枚ずつ次々に取り出して搬送する。自動原稿送り装置１２は、スキャナ１３のプラテンガラスを覆うカバーとして開閉可能に設けられている。
【００１９】
自動原稿送り装置１２には、原稿トレイ１２ａにセットされた原稿２の枚数を検知するためのセンサ５１が設けられている。センサ５１は、セットされたシート束の厚さまたは重さに応じた検出信号を出力する。この検出信号に応じて、主制御部１０により、原稿２の枚数が検知される。すなわち、検出された厚さまたは重さを標準的なシート１枚当たりの平均厚さまたは平均重さで割る演算が行われ、おおよその枚数が検知される。
【００２０】
スキャナ１３は、自動原稿送り装置１２から搬送されてきた原稿２またはユーザによりプラテンガラスの上にセットされた原稿の画像を読み取って画像データを出力する。モノクロ（グレースケール）およびフルカラーの読取りが可能である。
【００２１】
スキャナ１３には、自動原稿送り装置１２が開いた状態において、プラテンガラスにおける原稿の有無を検出するセンサが設けられている。
【００２２】
プリンタ部１４は、コピージョブにおいてスキャナ１３によって読み取られた画像を給紙部１５から供給されたシート（記録用紙）の片面または両面に印刷する。外部のホストから入力されまたは補助記憶装置１９内のボックス１９０から読み出されたドキュメントおよびファクス通信で受信した画像などの印刷にも用いられる。印刷の方式は、例えば電子写真式でり、モノクロおよびフルカラーの印刷が可能である。
【００２３】
給紙部１５は、多数枚のシートの収納が可能な複数の給紙トレイを備え、選択された給紙トレイからシートを取り出してプリンタ部１４に供給する。
【００２４】
主制御部１０は、画像処理装置１の全体的な制御を受け持つ。主制御部１０は、ＣＰＵ１０ａ、ＲＡＭ１０ｂ、ＲＯＭ１０ｃ、および不揮発性メモリ１０ｄを備える。
【００２５】
ＲＯＭ１０ｃまたは不揮発性メモリ１０ｄには、画像処理装置１をコピー機、ファクシミリ機、およびイメージリーダなどとして動作させるために、自動原稿送り装置１２、スキャナ１３、およびプリンタ部１４などを制御するためのソフトウェアが記憶されている。このソフトウェアには、後に述べるスキャン送信ジョブに関わる動作を制御するスキャン送信プログラム１０Ｐが含まれる。スキャン送信プログラム１０Ｐまたは他の制御用のプログラムは、必要に応じてＲＡＭ１０ｂにロードされ、ＣＰＵ１０ａによって実行される。
【００２６】
画像処理部１６は、スキャナ１３から送られてきた画像データにシェーディング補正や色収差補正といった読取り光学系の特性に関わる処理を施す。さらに、データの形式の変換、ＣＰＵ１０ａと補助記憶装置１８との間で画像データをやりとりする際の画像データの圧縮／伸張、および通信のセキュリティを高める暗号化などを行う。
【００２７】
この画像処理部１９と、自動原稿送り装置１２と、スキャナ１３とにより、紙媒体の画像を原稿２から読み取り、かつジョブにより指定される形式の送信データに変換する送信データ生成部２０１が構成される。
【００２８】
ファクシミリインタフェース１７は、外部のファクシミリ端末との間でＧ３などのプロトコルを用いて画像データをやりとりするためのインタフェースである。通信回線として電話回線、およびインターネットなどが用いられる。
【００２９】
ネットワークインターフェース１７は、パーソナルコンピュータ、サーバ、およびスマートフォンといった外部の情報処理装置との間で通信回線３を介して通信するためのインタフェースである。通信回線３として、ローカルエリアネットワーク回線（ＬＡＮ回線）、およびインターネットなどが用いられる。
【００３０】
なお、ファクシミリインタフェース１７およびネットワークインターフェース１７により、送信データ生成部２０１により生成される送信データを外部の装置に送信する通信部２０２が構成される。
【００３１】
補助記憶装置１９は、主制御部１０から送られてくる画像データ、外部の装置から転送されてきたドキュメントのデータなどを記憶する。補助記憶装置１９として、ＨＤＤ（Hard Disk Drive ）またはＳＳＤ（Solid State Drive ）などが用いられる。
【００３２】
補助記憶装置１９には、ボックス機能に関わる記憶領域であるボックス１９０が設けられる。ボックス機能は、ユーザごとに「マイボックス」または「パーソナルボックス」などと呼ばれる記憶領域を割り当てておき、各ユーザが自分の記憶領域によって画像データなどを保存し管理するための機能である。グループごとにボックス１９０を設けておき、グループのメンバで共用することもできる。ボックス１９０は、パーソナルコンピュータにおける「フォルダ」または「ディレクトリ」に相当する。
【００３３】
さて、画像処理装置１は、原稿２に記録されている画像をデータ化して送信するスキャン送信ジョブを行うことができる。スキャン送信ジョブは、通信方式または送信先（宛先）の種類により複数に分類される。すなわち、スキャン送信ジョブとして、ファックス送信、電子メール送信、ボックス１９０へのファイルの保存、およびサーバなどへのファイル送信がある。ファックス送信には、電話回線を用いるもの、インターネットを用いるもの、およびＩＰアドレスへ送信するものがある。ファイル送信は、使用するプロトコルにより分類される。プロトコルとして、ＳＭＢ（Server Message Block）、ＦＴＰ（File Transfer Protocol）、またはＷｅｂ−ＤＡＶ（Web-based Distributed Authoring and Versioning）などがある。
【００３４】
スキャン送信プログラム１０Ｐによると、ユーザがスキャン送信ジョブを入力する操作を行う際に、ジョブの条件およびそれに応じたおおよその所要時間をユーザに提示することができる。このような条件および所要時間を提示する機能を「条件指定支援機能」と記する。以下、この条件指定支援機能を中心に画像処理装置１の構成および動作を説明する。なお、説明の便宜のため、スキャン送信ジョブにおいて、１枚または複数枚の原稿２は、自動原稿送り装置１２の原稿トレイ１２ａにセットされるものとし、原稿２のサイズはすべて一定のサイズ、例えばＡ４サイズであるものとする。
【００３５】
図３には画像処理装置１の機能的構成の例が、図４には宛先入力画面４Ａの例が、図５には宛先登録テーブル６Ａの例が、図６には宛先区分テーブル６Ｂの例が、それぞれ示されている。
【００３６】
図３に示すように、スキャン送信プログラム１０Ｐによると、表示制御部１０１、ジョブ実行制御部１０４、原稿枚数検知部１０５、予測時間算出部１０６、およびデータ記憶部１０７などの機能が画像処理装置１に実現される。表示制御部１０１は、宛先指定受付部１０２と条件選択受付部１０３とを有する。
【００３７】
ユーザは、送信したい画像を記録した原稿２を自動原稿送り装置１２の原稿トレイ１２ａにセットする。その後にまたはその前に、操作パネル１１のスキャンキー４４を押してスキャン機能を選択する。
【００３８】
原稿２がセットされると、原稿枚数検知部１０５は、原稿トレイ１２ａのセンサ５１からの信号と予め記憶している１枚当たりの平均厚さまたは平均重さとに基づいて、上に述べた除算を行うことにより、セットされた原稿２の枚数Ｎを検知する。そして、検知した枚数Ｎを示す枚数データ６Ｎを予測時間算出部１０６に送る。原稿枚数検知部１０５は、原稿２の個数を検知する検知部の例である。
【００３９】
他方、宛先指定受付部１０２は、ユーザによりスキャン機能が選択されると、図４に示すような宛先入力画面４Ａをタッチパネルディスプレイ１１ａに表示させる。そして、ユーザによる宛先（送信先）の入力などを受け付けるための処理を行う。
【００４０】
宛先入力画面４Ａにおいては、宛先表示切換えボタン列４３０、および予め登録されている宛先の全部または一部に対応する宛先選択ボタン４４０、完了ボタン４６１、キャンセルボタン４６２、およびスキャン設定ボタン４６３などが表示される。初期表示では、図４の例のように、選択の頻度が高い常用グループ（Ｒｅｇｕｌａｒ）の宛先選択ボタン４４０ａ，４４０ｂ，４４０ｃ，４４０ｄ，４４０ｅ，４４０ｆが表示される。各宛先選択ボタン４４０ａ〜４４０ｆにおいて、ジョブの種類および登録名がボタン名として表示される。
【００４１】
ユーザは、所望の宛先に対応する宛先選択ボタン（例えば４４０ｂ）をタッチする。すると、宛先指定受付部１０２は、タッチされた宛先選択ボタン４４０ｂを他の宛先選択ボタンと区別が付くよう強調表示するとともに、表示領域４１０において宛先の登録情報をユーザに提示する。また、宛先の指定件数を示す数字４０２を更新する。
【００４２】
ユーザは、２以上の宛先を指定することができる。その際、必要に応じて宛先表示切換えボタン列４３０のいずれかのボタンにタッチして宛先選択ボタンの表示を切り換える。
【００４３】
ユーザが完了ボタン４６１にタッチすると、宛先指定受付部１０２は、それまでに指定された宛先をジョブ実行制御部１０４に通知する。その後に、ユーザが操作キーパネル１１ｂのスタートキー４１を押すと、ジョブ実行制御部１０４による制御の下で、スキャン送信ジョブの実行が開始される。ユーザがスタートキー４１を押す前にキャンセルボタン４６２にタッチすると、それまでの宛先の指定が取り消される。
【００４４】
また、ユーザは、ジョブの条件をデフォルトの条件とは異なる条件に変更することができる。その場合には、スキャン設定ボタン４６３をタッチする。宛先指定受付部１０２は、スキャン設定ボタン４６３がタッチされたことを条件選択受付部１０３に通知する。この通知には、それまでに指定された宛先を示す宛先指定データ７Ａが含まれる。ジョブの条件の変更について後に詳述する。
【００４５】
図３に戻って、条件選択受付部１０３は、スキャン設定ボタン４６３がタッチされたことが通知されると、宛先入力画面４Ａに代えて条件選択画面５Ａをタッチパネルディスプレイ２０ｅに表示させる。そして、予測時間算出部１０６に対して宛先指定データ７Ａを与えることにより、所要時間の算出を要求する。
【００４６】
要求を受けると、予測時間算出部１０６は、原稿２の画像のデータ化の設定値が互いに異なる複数の条件それぞれでジョブを行うのに掛かる予測時間ＴＪを算出する。このとき、データ記憶部１０７により記憶されている条件テーブル６Ｃから宛先に応じた複数の条件ＪＣを選出する。また、算出の演算には、原稿枚数検知部１０５からの枚数データ６Ｎに示される枚数Ｎを用いる。そして、予測時間算出部１０６は、算出した複数の予測時間ＴＪを条件選択受付部１０３に送る。
【００４７】
予測時間ＴＪを受け取ると、条件選択受付部１０３は、複数の条件ＪＣそれぞれについて算出された予測時間ＴＪを、条件選択画面５Ａにおいて複数の条件ＪＣのうちのいずれかを選択するための選択肢として、同じ画面で表示するようタッチパネルディスプレイ１１ａを制御する。
【００４８】
また、算出された複数の予測時間ＴＪと、複数の条件ＪＣのうちの選択された予測時間ＴＪに対応する条件ＪＣとを、同じ画面で表示させる。このとき、選択された予測時間ＴＪに対応する条件ＪＣの設定値を、それの変更を指示するための操作ボタンとして表示させる。
【００４９】
さらに、ユーザにより複数の宛先が指定された場合、すなわち宛先指定データ７Ａが複数の宛先を示す場合において、条件選択受付部１０３は、宛先ごとに順に予測時間ＴＪを表示させる。
【００５０】
条件選択画面５Ａにおいて予測時間ＴＪの選択を確定する操作が行われると、条件選択受付部１０３は、その旨をジョブ実行制御部１０４に通知する。
【００５１】
ジョブ実行制御部１０４は、スタートキー４１が押されると、原稿２の画像をユーザが選択した条件ＪＣでデータ化し、ユーザが指定した宛先へ送信するスキャン送信ジョブを行うよう、送信データ生成部２０１および通信部２０２を制御する。なお、宛先がボックス１９０である場合には、通信部２０２の制御に代えて、送信データ生成部２０１と補助記憶装置１９との間のデータ転送の制御、つまり画像処理装置１内の通信の制御を行う。
【００５２】
図５に示すように、宛先登録テーブル６Ａにおいては、各宛先について、登録順に付与される登録番号６ａ、登録名６ｂ、ジョブの種類６ｃ、第１区分６ｄ、第２区分６ｅ、宛先識別子６ｆ、および備考６ｇが対応付けられる。
【００５３】
ジョブの種類６ｃは、通信方式または送信先の種類による分類であり、ファックス送信（ＦＡＸ）、電子メール送信（Ｅ−ｍａｉｌ）、ボックス１９０への保存（Ｂｏｘ）、ＳＭＢによるファイル送信（ＳＭＢ）などがある。
【００５４】
第１区分６ｄは、データのセキュリティの観点で宛先を２分する区分である。図６の宛先区分テーブル６Ｂの通り、宛先は、第１区分６ｄにより、データの暗号化を必須とする第１のグループ６ｄ１である「社外」と、暗号化を必須としない第２のグループ６ｄ２である「社内」とに分かれる。
【００５５】
また、第２区分６ｅは、画像のカラー品質の観点で宛先を２分する区分である。第２区分６ｅにより、宛先は、フルカラーの読取りを必須とする第３のグループ６ｅ１である「特別」と、フルカラーの読取りを必須としない第４のグループ６ｅ２である「一般」とに分かれる。
【００５６】
本実施形態においては、このように第１区分６ｄおよび第２区分６ｅは、互いに独立に宛先を２分するので、各宛先は、「社外」または「社内」に属し、かつ、「特別」または「一般」に属する。
【００５７】
宛先識別子６ｆは、電話番号、メールアドレス、ＵＲＬ（Uniform Resource Locator）など、宛先を一意に特定する情報である。備考６ｇは、必要に応じて適宜に記録される宛先に関する情報である。
【００５８】
図７には条件テーブル６Ｃの例が示されている。
【００５９】
条件テーブル６Ｃは、第１区分６ｄおよび第２区分６ｅの両方により区別される４つのサブグループ８ａ，８ｂ，８ｃ，８ｄそれぞれについて、ユーザが指定可能な条件ＪＣを示すテーブルである。
【００６０】
本実施形態において、条件ＪＣの項目（設定項目）６ｈは、「解像度」、「カラー」、および「暗号化」の３つとされている。ユーザは、これらの項目６ｈそれぞれの設定値をそれぞれの選択肢の中から選択することができる。選択の操作を省略することもできる。選択の操作を省略する場合には、ジョブの種類に応じたデフォルトの設定値が自動的に選択される。
【００６１】
画像の読取りに関わる「解像度」の設定値の選択肢は、２００ｄｐｉ、３００ｄｐｉ、および６００ｄｐｉである。解像度が大きいほど、自動原稿送り装置１２による原稿２の搬送を遅くするので、読取りに時間が掛かる。
【００６２】
データ量に関わる「カラー」の設定値の選択肢は、モノクロ、およびフルカラーである。フルカラーの場合には、モノクロと比べてデータ量が多いので、画像処理部１６による処理および通信部２０２などによるデータ送信に時間が掛かる。
【００６３】
データ処理に関わる「暗号化」の設定値の選択肢は、無し、および有りである。有りの場合は暗号化処理が加わるので、無しの場合よりもジョブの所要時間が長くなる。
【００６４】
条件ＪＣは、このような３つの項目６ｈの設定値の組合せである。解像度、カラー、および暗号化それぞれの設定値が３個、２個、および２個なので、３×２×２組の組合せ、つまり１２個（１２通り）の条件ＪＣがある。
【００６５】
ところで、条件テーブル６Ｃにおいては、このような複数の条件ＪＣが、スキャン送信ジョブを行うのに掛かる時間の長短を考慮して定められた複数のコースに振り分けられている。複数のコースとして、「急ぎコース」、「やや急ぎコース＃１」、「やや急ぎコース＃２」、「通常コース＃１」、「通常コース＃２」、および「じっくりコース」の６つが定められている。
【００６６】
急ぎコースは、６つのコースの中で最も時間が掛からないコースである。それは、解像度の設定値が最小値（２００ｄｐｉ）とされ、カラーの設定値がモノクロとされるからである。
【００６７】
じっくりコースは、最も時間が掛かるコースである。それは、解像度の設定値が最大値（６００ｄｐｉ）とされ、カラーの設定値がフルカラーとされているからである。
【００６８】
通常コース＃１は、急ぎコースよりも時間が掛かるがじっくりコースほどの時間は掛からないコースである。通常コース＃１については、解像度の設定値が中間値（３００ｄｐｉ）とされ、カラーの設定値がフルカラーとされている。
【００６９】
やや急ぎコース＃１およびやや急ぎコース＃２は、急ぎコースよりも時間が掛かるが通常コース＃１ほどの時間は掛からないコースである。なお、やや急ぎコース＃１の方がやや急ぎコース＃２よりも時間が掛からない場合もあるし、逆に時間が掛かる場合もある。それは、解像度については、急ぎコース＃１の２００ｄｐｉが急ぎコース＃２の３００ｄｐｉよりも時間短縮の上で有利だが、カラーの設定値については、急ぎコース＃２のモノクロが急ぎコース＃１のフルカラーよりも時間短縮の上で有利だからである。
【００７０】
通常コース＃２は、やや急ぎコース＃１およびやや急ぎコース＃２よりも時間が掛かるがじっくりコースほどの時間は掛からないコースである。通常コース＃２の方が通常コース＃１よりも時間が掛かる場合もあるし、逆に時間が掛からない場合もある。それは、やや急ぎコース＃１とやや急ぎコース＃２との場合と同様の理由による。
【００７１】
条件テーブル６Ｃにおいて、サブグループ８ａおよびサブグループ８ｃ、つまり第２区分が「一般」である宛先については、６つのコースそれぞれに１つずつ条件ＪＣが定められている。
【００７２】
これに対して、サブグループ８ｂおよびサブグループ８ｄ、つまり第２区分が「特別」である宛先については、６つのコースのうち、急ぎコース、通常コース＃１、およびじっくりコースの３つのコースそれぞれに１つずつ条件ＪＣが定められている。やや急ぎコース＃１、やや急ぎコース＃２、および通常コース＃２に条件ＪＣが定められていないのは、これらのサブグループ８ｂ，８ｄについて、カラーの設定値がフルカラーに限定されているからである。図中の「＊」は、図に示される設定値に限定されていることを表わす。
【００７３】
サブグループ８ｂには、暗号化の設定値を無しとした条件ＪＣが定められ、サブグループ８ｄには、暗号化の設定値を有りとした条件ＪＣが定められる。カラーの設定値をフルカラーに限定することにより、サブグループ８ｂおよびサブグループ８ｄのそれぞれに対して割り当て可能な条件ＪＣは、急ぎコース、通常コース＃１、およびじっくりコースに対応する３つとなる。
【００７４】
図８には条件選択画面５Ａの例が、図９には単位所要時間テーブル６Ｄの例が、それぞれ示されている。
【００７５】
図８（Ａ）〜（Ｃ）に示される条件選択画面５Ａａ，５Ａｂ，５Ａｃは、３つの時間選択ボタン５１１，５１２，５１３、ＯＫボタン５１５、設定変更ボタン５１６、宛先表示領域５１８、および条件表示領域５１９などを有している。
【００７６】
時間選択ボタン５１１，５１２，５１３は、６つのコースのうち表示対象に定められた急ぎコース、通常コース＃１、およびじっくりコースに順に対応し、それぞれに上述の予測時間算出部１０６により算出された予測時間ＴＪがボタン名として表示される。
【００７７】
予測時間ＴＪの算出に際して、図９に示す単位所要時間テーブル６Ｄが参照される。単位所要時間テーブル６Ｄは、ジョブの種類ごとに設けられ、上述の１２個の条件ＪＣそれぞれでジョブを実行したときの原稿１枚当たりの平均的な所要時間である単位所要時間Ｔｍ１〜Ｔｍ１２を示す。
【００７８】
単位所要時間Ｔｍ１〜Ｔｍ２４は、ジョブの種類ごとに、複数枚のテストシートを原稿２として各条件ＪＣでスキャン送信ジョブを実行させ、ジョブを完了するのに掛かる時間を計測することによって求めることができる。
【００７９】
例えば、単位所要時間Ｔｍ１は、次のように求めることができる。複数の原稿２から画像を２００ｄｐｉでかつフルカラーで読み取って暗号化をすることなくボックス１９０に格納させ、原稿２の搬送の開始からデータの格納の完了までに掛かる時間を計測する。そして、計測した時間を原稿２の枚数Ｎで割った値を、単位所要時間Ｔｍ１として算出する。
【００８０】
なお、単位所要時間テーブル６Ｄは、データ記憶部１０７などに記憶させておけばよい。
【００８１】
予測時間算出部１０６は、ユーザにより指定された宛先に対応する単位所要時間テーブル６Ｄに示される単位所要時間Ｔｍ１〜Ｔｍ２４のうちの、表示対象の３つのコースそれぞれの条件ＪＣに対応する単位所要時間Ｔｍを選出する。そして、例えば枚数Ｎを変数として含む次の算出式を用いて予測時間ＴＪを算出する。
【００８２】
ＴＪ＝Ｔｍ×Ｎ
すなわち、選出した単位所要時間Ｔｍと枚数データ６Ｎに示される枚数Ｎとの積を、予測時間ＴＪとして算出する。
【００８３】
例えば、通常コース＃１について、条件ＪＣの各項目の設定値が「３００ｄｐｉ」、「フルカラー」、「（暗号化）無し」であって、枚数Ｎが「３」である場合は、単位所要時間Ｔｍ２と「３」との積が、予測時間ＴＪとして算出される。
【００８４】
図８の例では、３つのコースについて算出された３分、５分、および７分の予測時間ＴＪが表示されている。
【００８５】
宛先表示領域５１８には、ユーザが指定した宛先の登録名が表示される。図８の例において、宛先は、図５の宛先登録テーブル６Ａにおいて、登録番号６ａを「００４２」とし登録名を「ｍｙＢｏｘ＿０００１」として登録されたものである。
【００８６】
条件表示領域５１９には、３つのコース（急ぎコース、通常コース＃１、およびじっくりコース）のうちの、選択された１つのコースに対応する条件ＪＣが表示される。詳しくは、条件ＪＣの各項目の現在の設定値が、操作ボタン５２１，５２２，５３１，５３２，５４１のボタン名として表示される。
【００８７】
条件選択受付部１０３は、宛先が指定された後に最初に条件選択画面５Ａを表示させるとき、ユーザの指示を受けることなく、３つのコースのうちの例えば通常コース＃１を自動的に選択し、通常コース＃１の条件ＪＣを表示させる。図８の例においては、宛先の第１区分６ｄは「社内」で第２区分６ｅは「一般」である( 図５参照）。つまり、図７の条件テーブル６Ｃにおけるサブグループ８ａに属する。したがって、最初の表示では、図８（Ａ）に示すように、サブグループ８ａに割り当てられ、かつ通常コース＃１に対応する条件ＪＣを表わす「３００ｄｐｉ」、「フルカラー」、「（暗号化）無し」が操作ボタン５２２，５３１，５４１のボタン名として表示される。このとき、通常コース＃１に対応する時間選択ボタン５１２は、強調表示により他の２つの時間選択ボタン５１１，５１３と区別される。
【００８８】
図８（Ａ）の条件選択画面５Ａａが表示された状態において、ユーザがＯＫボタン５１５をタッチすると、条件ＪＣの選択の終了が入力されたことになる。この場合は、通常コース＃１の条件ＪＣでジョブが行われる。
【００８９】
また、条件選択画面５Ａａが表示された状態で、ユーザは、５分よりも早くジョブを完了させたいときには、３分と表示されている時間選択ボタン５１１をタッチする。すると、条件選択画面５Ａａに代わって図８（Ｂ）に示す条件選択画面５Ａｂが表示される。条件選択画面５Ａｂでは、急ぎコースに対応する条件ＪＣを表わす「２００ｄｐｉ」、「モノクロ」、「（暗号化）無し」が操作ボタン５２１，５３２，５４１のボタン名として表示される。
【００９０】
ユーザは、表示された条件ＪＣを確認し、この条件ＪＣでジョブを行ってよいと判断した場合は、ＯＫボタン５１５をタッチする。すなわち、条件ＪＣの選択の終了を入力する。この場合、急ぎコースの条件ＪＣでジョブが行われる。
【００９１】
条件選択画面５Ａａまたは条件選択画面５Ａｂが表示され状態において、７分と表示されている時間選択ボタン５１１をユーザがタッチすると、条件選択画面５Ａａ，５Ａｂに代わって図８（Ｃ）に示す条件選択画面５Ａｃが表示される。
【００９２】
条件選択画面５Ａｃでは、じっくりコースに対応する条件ＪＣを表わす「６００ｄｐｉ」、「フルカラー」、「（暗号化）無し」が操作ボタン５２３，５３１，５４１のボタン名として表示される。ユーザは、ＯＫボタン５１５をタッチしてじっくりコースの条件ＪＣでジョブを行わせてもよいし、時間選択ボタン５１１をタッチして条件選択画面５Ａｂを表示させてもよいし、時間選択ボタン５１２をタッチして条件選択画面５Ａａを表示させてもよい。
【００９３】
図１０、図１１、および図１２にはそれぞれ条件選択画面５Ａの他の例が示されている。
【００９４】
図１０の例では、２つの宛先が指定されている。これらの宛先は、同じサブグループ、例えばサブグループ８ａに属する。つまり、同じ条件ＪＣでジョブを行わせることが可能である。しかし、ジョブの種類が異なる。一方の種類は、画像処理装置１の内部の宛先に送信する「Ｂｏｘ」であり、他方の宛先の種類は、画像処理装置１の外部の宛先に送信する「ＳＭＢ」である。
【００９５】
ジョブの種類が異なることから、条件ＪＣが同じであって、予測時間ＴＪが異なることがある。
【００９６】
すなわち、図１０（Ａ）に示すように、「Ｂｏｘ」の場合における条件選択画面５Ａｂでは、急ぎコース、通常コース＃１、およびじっくりコースについて、３分、５分、および７分の予測時間ＴＪが表示されている。
【００９７】
これに対して、図１０（Ｂ）に示すように、「ＳＭＢ」の場合における条件選択画面５Ａｄでは、急ぎコース、通常コース＃１、およびじっくりコースについて、６分、８分、および１０分の予測時間ＴＪが表示されている。
【００９８】
図１１の例は、条件選択画面５Ａにおいて、ユーザが条件ＪＣの各項目の設定値を個々に変更する例である。図１１において、宛先は、サブグループ８ｃに属するものとする。
【００９９】
図１１（Ａ）に示す条件選択画面５Ａｅでは、急ぎコース、通常コース＃１、およびじっくりコースについて、７分、９分、および１１分の予測時間ＴＪが表示されている。また、急ぎコースに対応する条件ＪＣを表わす「２００ｄｐｉ」、「モノクロ」、および「（暗号化）有り」が操作ボタン５２１，５３２，５４２のボタン名として表示されている。ただし、サブグループ８ａに属する宛先については、暗号化の設定値が「有り」に限定されているので、操作ボタン５４２は、設定値の変更が不可であることを表わすよう表示される。例えばグレーアウトとされる。
【０１００】
ユーザは、操作ボタン５２１，５３２をタッチすることにより、解像度またはカラーの設定値の変更を指示することができる。操作ボタン５２１，５３２をタッチするごとに、ボタン名はロータリー形式で切り替わる。すなわち、解像度については、２００ｄｐｉ→３００ｄｐｉ→６００ｄｐｉ→２００ｄｐｉと切り替わる。カラーについては、モノクロ→フルカラー→モノクロと切り替わる。なお、暗号化についても変更可能な場合は、有り→無し→有りと切り替わる。
【０１０１】
ユーザが操作ボタン５２１，５３２にタッチすると、図１１（Ｂ）に示す条件選択画面５Ａｆのように、時間選択ボタン５１１のボタン名、つまり急ぎコースについて算出された予測時間ＴＪの表示が消える。これは、設定値を変更しても予測時間ＴＪは変わらないとユーザが誤解するのを防ぐための表示制御による。
【０１０２】
条件表示領域５１９に元の設定値と異なる設定値が表示された状態において、ユーザが設定変更ボタン５１６にタッチすると、その状態の設定値からなる条件ＪＣに対応する予測時間ＴＪが算出される。そして、図１１（Ｃ）に示す条件選択画面５Ａｇのように、算出された予測時間ＴＪ（例えば８分）が時間選択ボタン５１１のボタン名として表示される。
【０１０３】
条件選択画面５Ａｇでは、ユーザが設定値を変更した結果として、時間選択ボタン５１１に対応する条件ＪＣは、やや急ぎコース＃２の条件と同じになっている。条件表示領域５１９には、その旨を知らせるメッセージ５６１が表示される。
【０１０４】
図１２の例では、４つの予測時間ＴＪが、４つの条件ＪＣのうちのいずれかを選択するための選択肢として同じ画面で表される。
【０１０５】
図７に示した条件テーブル６Ｃにおいて、サブグループ８ｂ，８ｄそれぞれに割り当てられた条件ＪＣは３つであるが、サブグループ８ａ，８ｃそれぞれに割り当てられた条件ＪＣは６つである。
【０１０６】
そこで、サブグループ８ｂ，８ｄについては、上に述べた図８、図１０、および図１２の例と同様に時間選択ボタンの個数を３とし、サブグループ８ａ，８ｃについては、時間選択ボタンの個数を４、５、または６とすることができる。図１２の例では、４とされている。
【０１０７】
図１２（Ａ）または（Ｂ）に示す条件選択画面５Ａｈ，５Ａｉは、４つの時間選択ボタン５５１，５５２，５５３，５５４、ＯＫボタン５１５、設定変更ボタン５１６、宛先表示領域５１８、および条件表示領域５１９などを有している。
【０１０８】
時間選択ボタン５５１，５５２，５５３，５５４は、急ぎコース、通常コース＃１、通常コース＃２、およびじっくりコースに対応し、それぞれに上述の予測時間算出部１０６により算出された予測時間ＴＪがボタン名として表示される。図示の例では、４つのコースそれぞれの予測時間ＴＪは、３分、５分、５分、および７分である。この例のように複数のコースの予測時間ＴＪが同じになる場合がある。
【０１０９】
条件表示領域５１９には、４つのコース（急ぎコース、通常コース＃１、およびじっくりコース）のうちの、選択された１つのコースに対応する条件ＪＣが表示される。すなわち、図１２（Ａ）の条件選択画面５Ａｈでは、通常コース＃１の条件ＪＣの設定値である「３００ｄｐｉ」、「フルカラー」、「（暗号化）無し」が操作ボタン５２２，５３１，５４１のボタン名として表示される。また、図１２（Ａ）の条件選択画面５Ａｉでは、通常コース＃２の条件ＪＣの設定値である「６００ｄｐｉ」、「モノクロ」、「（暗号化）無し」が操作ボタン５２３，５３２，５４１のボタン名として表示される。
【０１１０】
図１３には画像処理装置１における処理の流れが、図１４には条件制限処理の流れが、図１５には条件表示処理の流れが、図１６には条件変更処理の流れが、それぞれ示されている。
【０１１１】
図１３に示すように、画像処理装置１は、セットされた原稿２の枚数Ｎを取得し（＃６０１）、宛先入力画面４Ａを表示してユーザによる宛先（送信先）の入力を受け付ける（＃６０２）。そして、ユーザにより入力された１つまたは複数の宛先について条件ＪＣを制限する条件制限処理を行う（＃６０３）。
【０１１２】
予め表示対象に定められた３つ、４つ、またはそれ以上のコースごとに、各コースの条件ＪＣでスキャン送信ジョブを行うのに掛かる予測時間ＴＪを算出する（＃６０４）。続けて、算出した複数の予測時間ＴＪを選択ボタンのボタン名とすることにより、複数の条件ＪＣのうちのいずれかを選択するための選択肢として同じ画面で一同に表示する（＃６０５）。そして、選択された予測時間ＴＪに対応する条件ＪＣを複数の予測時間ＴＪと同じ画面で一同に表示する条件表示処理を行う（＃６０６）。
【０１１３】
選択された予測時間ＴＪに対応する条件ＪＣを表示している状態で、ＯＫボタン５１５の操作がない場合は（＃６０７でＮＯ) 、条件ＪＣの設定値を変更する条件変更処理を行う（＃６０９）。
【０１１４】
ＯＫボタン５１５の操作があった場合は（＃６０７でＹＥＳ) 、表示している条件ＪＣを確定する。すなわち、ジョブの実行に際して適用する条件に設定する（＃６０８）。複数の宛先が指定されており、かつ条件ＪＣを確定していない宛先がある場合は（＃６１０でＹＥＳ) 、ステップ＃６０３に戻ってステップ＃６０３〜＃６０９の処理を繰り返す。
【０１１５】
条件ＪＣを確定していない宛先がない場合は（＃６１０でＮＯ) 、ユーザによるスタート指示の入力を待ってジョブを実行する（＃６１１、＃６１２）。
【０１１６】
図１４に示すように条件制限処理においては、宛先の第１区分６ｄが「社外」である場合に（＃７０１でＹＥＳ) 、暗号化の設定値を「有り」に限定する（＃７０２）。第１区分６ｄが「社外」でない場合は（＃７０１でＮＯ) 、暗号化の設定値を限定しない。つまり、ユーザによる設定値の変更を許可する。
【０１１７】
また、宛先の第２区分６ｅが「特別」である場合に（＃７０３でＹＥＳ) 、カラーの設定値を「フルカラー」に限定する（＃７０２）。第２区分６ｅが「特別」でない場合は（＃７０３でＮＯ) 、カラーの設定値を限定しない。
【０１１８】
図１５に示すように条件表示処理においては、まず、解像度の設定値を表示する操作ボタン５２１〜５２３の表示形態を、設定値の変更可を表わす通常形態に設定する（＃８０１）。
【０１１９】
カラーの設定値が「フルカラー」に限定されている場合は（＃８０２でＹＥＳ) 、カラーの設定値を表示する操作ボタン５３１，５３２の表示形態を設定値の変更不可を表わす操作無効形態（例えばグレーアウト）に設定する（＃８０４）。カラーの設定値が「フルカラー」に限定されていない場合は（＃８０２でＮＯ) 、操作ボタン５３１，５３２の表示形態を通常形態に設定する（＃８０３）。
【０１２０】
暗号化の設定値が「有り」に限定されている場合は（＃８０５でＹＥＳ) 、暗号化の設定値を表示する操作ボタン５４１，５４２の表示形態を操作無効形態に設定する（＃８０７）。暗号化の設定値がに限定されていない場合は（＃８０５でＮＯ) 、操作ボタン５４１，５４２の表示形態を通常形態に設定する（＃８０６）。
【０１２１】
その後、選択された予測時間ＴＪに対応するコースの条件ＪＣを、設定した表示形態で操作ボタン５２１〜５２３，５３１，５３２，５４１，５４２のボタン名として表示する＃６０９）。
【０１２２】
図１６に示すように条件変更処理においては、変更可の項目に対応する通常形態の操作ボタンの操作がない場合は（＃９０１でＮＯ) 、直ちに図１３のフローに戻る。
【０１２３】
通常形態の操作ボタンの操作があった場合は（＃９０１でＹＥＳ) 、当該コースの予測時間ＴＪの表示を消去し（＃９０２）、当該項目の設定値を変更する（＃９０３）。その後に設定変更ボタン５１６の操作があれば（＃９０４でＹＥＳ) 、当該コースの予測時間ＴＪを算出し直す（＃９０５）。
【０１２４】
以上の実施形態によると、複数のコースの予測時間ＴＪを表示するので、スキャン送信ジョブの入力に際してジョブの所要時間を知りたいユーザにとっての画像処理装置１の使い勝手を従来よりも高めることができる。
【０１２５】
選択可能な複数の条件ＪＣのうち、最も所要時間の短い急ぎコースの予測時間ＴＪとともにその条件ＪＣを選択可能に表示するので、急いでいるユーザが最速の条件ＪＣを指定しようとして操作に迷うことが少なくなる。
【０１２６】
上に述べた実施形態によると、急ぎコースの条件、それよりもジョブの所要時間が長い通常コースの条件、および、さらに所要時間が長いじっくりコースの条件それぞれに対応する予測時間ＴＪがこれらの条件のいずれかを選択するための選択肢として表示される。これにより、ユーザは各条件でのおおよその所要時間を知った上でジョブの条件を選択することができる。
【０１２７】
上に述べた実施形態において、データ化して送信する画像の個数を特定する方法として、ユーザが原稿２の枚数Ｎを入力する手法を採用してもよい。原稿２の両面を読み取る場合には、原稿２の厚さまたは重さの検出値、またはユーザによる入力値に基づいて特定した原稿２の枚数Ｎの２倍を画像の個数として予測時間ＴＪの算出に反映させればよい。
【０１２８】
自動原稿送り装置１２に原稿２がセットされず、代わりにスキャナ１３のプラテンガラスに原稿２が載置されたことを検出した場合は、原稿２の枚数Ｎを「１」として予測時間ＴＪの算出すればよい。
【０１２９】
上に述べた実施形態においては、原稿２のサイズを一定としたが、一定とせずにサイズに応じた予測時間ＴＪを算出するようにしてもよい。例えば、想定される複数のサイズそれぞれについて単位所要時間テーブル６Ｄを設けておき、センサにより検出したサイズまたはユーザにより入力されたサイズに最も近いサイズの単位所要時間テーブル６Ｄを用いて予測時間ＴＪを算出すればよい。
【０１３０】
上に述べた実施形態においては、複数の予測時間ＴＪとともに選択されたいずれか１つ予測時間ＴＪに対応する条件ＪＣを表示したが、これに限らない。ディスプレイの表示面に十分なスペースがある場合には、複数の予測時間ＴＪとともに、これらの予測時間ＴＪそれぞれに対応する複数の条件を同じ画面で一同に表示してもよい。
【０１３１】
なお、同じ画面で表示するに当たって、ディスプレイの表示面に十分なスペースがあれば同時に表示するのがよいが、同時に表示できない場合には、スクロールして表示し、または表示面へのタッチなどで切り替えて表示するなどして一同に表示すればよい。
【０１３２】
宛先が属するグループに依存する選択可能な複数の条件ＪＣのすべてについて予測時間ＴＪを算出して一同に表示してもよい。例えば、宛先がサブグループ８ａに属する場合は、暗号化の有りの場合を含めて１２個の条件ＪＣが対応するので、１２個の予測時間ＴＪと１２個の条件ＪＣとを一同に表示する。宛先がサブグループ８ｃに属する場合は、６個の予測時間ＴＪと６個の条件ＪＣとを一同に表示する。
【０１３３】
その他、画像処理装置１の全体または各部の構成、処理の内容、順序、またはタイミング、条件テーブル６ｃおよび他のテーブルの内容、条件選択画面５Ａのレイアウト、予測時間ＴＪの算出式などは、本発明の趣旨に沿って適宜変更することができる。
【符号の説明】
【０１３４】
１  画像処理装置
２  原稿
６ｄ  第１区分（第１のグループ、第２のグループ）
６ｄ１  第１のグループ
６ｄ２  第２のグループ
６ｅ１  第３のグループ
８ａ，８ｃ  サブグループ（第１のグループ、第２のグループ）
８ｂ，８ｄ  サブグループ（第３のグループ）
１１ａ  タッチパネルディスプレイ（ディスプレイ）
１０３  条件選択受付部（表示制御手段）
１０４  ジョブ実行制御部（ジョブ実行制御手段）
１０５  原稿枚数検知部（検知部）
１０６  予測時間算出部（算出手段）
５２１，５２２，５２３，５３１，５３２，５４１，５４２  操作ボタン
ＪＣ  条件
ＴＪ  予測時間
【図１】
2019114885.tif 000003
【図２】
2019114885.tif 000004
【図３】
2019114885.tif 000005
【図４】
2019114885.tif 000006
【図５】
2019114885.tif 000007
【図６】
2019114885.tif 000008
【図７】
2019114885.tif 000009
【図８】
2019114885.tif 000010
【図９】
2019114885.tif 000011
【図１０】
2019114885.tif 000012
【図１１】
2019114885.tif 000013
【図１２】
2019114885.tif 000014
【図１３】
2019114885.tif 000015
【図１４】
2019114885.tif 000016
【図１５】
2019114885.tif 000017
【図１６】
2019114885.tif 000018